(57)【要約】【課題】巻線機の構造部分を簡略化し、主巻線巻装体配列群と補助巻線巻装体配列群の組み合わせ時の渡り線の処理の簡略化、固定子の薄型化を提供することを目的とする。【解決手段】固定子鉄心２に装着する絶縁体３の一部が固定子鉄心２の中心軸１７に対し垂直方向１８に大きく延長された延出部８を有し、その延出部８の先端は、回転子１９側の絶縁体の内壁２０面よりも外周側で、かつ、主巻線５と補助巻線６との間に位置し、さらにその先端に主巻線５および補助巻線６の渡り線４を保持する保持部９を設けた構成とする。【選択図】図１
2009095213.tif 000002
【特許請求の範囲】
【請求項１】
スロット数と同数に分割し積層された固定子鉄心と、前記固定子鉄心に絶縁体を装着した上に主巻線を集中巻で渡り線を介し２極連続的に直巻巻装した主巻線巻装体と、前記固定子鉄心に絶縁体を装着した上に補助巻線を集中巻で渡り線を介して２極連続的に直巻巻装した補助巻線巻装体とからなり、前記２極の主巻線巻装体を環状に配列した主巻線巻装体配列群と、前記２極の補助巻線巻装体を環状に配列した補助巻線巻装体配列群とが交互に環状に配列し軸方向に組み合わせ固着一体化してなる固定子において、前記固定子鉄心に装着する絶縁体の一部が前記固定子鉄心の中心軸に対し垂直方向に大きく延長された延出部を有し、その延出部の先端は、回転子側の絶縁体の内壁面よりも外周側で、かつ、主巻線と補助巻線との間に位置し、さらにその先端に主巻線および補助巻線の渡り線を保持する保持部を有したコンデンサ電動機の固定子。
【請求項２】
前記保持部は、固定子鉄心の外周面と略平行な面の溝を設けたことを特徴とする請求項１記載のコンデンサ電動機の固定子。
【請求項３】
前記延出部に設けた固定子鉄心の外周面と略平行な面の溝は、深さの異なる複数の溝であることを特徴とする請求項２記載のコンデンサ電動機の固定子。
【請求項４】
前記保持部は、回転子軸と垂直な面の溝を設けたことを特徴とする請求項１記載のコンデンサ電動機の固定子。
【請求項５】
前記延出部に設けた回転子軸と垂直な面の溝を複数設けた請求項４記載のコンデンサ電動機の固定子。
【請求項６】
前記延出部に設けた回転子軸と垂直な面の複数の溝は、その形状が同一である請求項５記載のコンデンサ電動機の固定子。
【請求項７】
前記延出部に設けた回転子軸と垂直な面の溝の壁は、固定子側の壁を反固定子側の壁よりも低くした請求項４または５記載のコンデンサ電動機の固定子。
【請求項８】
主巻線巻装用の固定子鉄心に装着する絶縁体の延出部は主渡り線側のみ設け、補助巻線巻装用の固定子鉄心に装着する絶縁体の延出部は補助渡り線側のみ設けた請求項１〜７いずれかに記載のコンデンサ電動機の固定子。
【請求項９】
主巻線巻装用の固定子鉄心に装着する延出部を設けた絶縁体と補助巻線巻装用の固定子鉄心に装着する延出部を設けた絶縁体が同一である請求項１〜８いずれかに記載のコンデンサ電動機の固定子。
【請求項１０】
主渡り線側に設けられた絶縁体の延出部には主巻線の渡り線のみが保持または収納され、補助渡り線側に設けられた絶縁体の延出部には補助巻線の渡り線のみが保持または収納された請求項１〜９いずれかに記載のコンデンサ電動機の固定子。
【発明の詳細な説明】
【技術分野】
【０００１】
本発明はスロット数と同数に分割し積層された固定子鉄心を組み合わせ一体化してなるコンデンサ電動機の固定子に関する。
【背景技術】
【０００２】
従来、この種のコンデンサ電動機の固定子においては、複数に分割した分割鉄心体に巻線を施工し分割鉄心体を環状に配列してなる一体化する固定子が知られている（例えば特許文献１参照）。
【０００３】
以下、そのコンデンサ電動機の固定子について、図１６〜１８を参照しながら説明する。
【０００４】
図１６〜図１８に示すように、主巻線１０１は環状に保持された極数個の分割鉄心体１０２の各々に絶縁体１０３を装着後に主渡り線側の渡り線１０４Ａを介して連続的に巻回されて主巻線巻装体１０５が形成され、同様に補助巻線１０６も環状に保持された極数個の分割鉄心体１０２の各々に絶縁体１０３を装着後に補助渡り線側の渡り線１０４Ｂを介して連続的に巻回されて補助巻線巻装体１０７が形成され、前記主巻線巻装体１０５と補助巻線巻装体１０６を軸方向に移動させ組立し固定子１０８を構成していた。
【特許文献１】特開２０００―３５８３４６号公報
【発明の開示】
【発明が解決しようとする課題】
【０００５】
このような従来の固定子における巻線巻装方法および構成では、装着した絶縁体に渡り線には保持部分がないため、渡り線の保持は巻線機の構造部分にその機能を持たせる必要があり、巻線機の構造が複雑になるという課題があった。また、主巻線巻装体と補助巻線巻装体を軸方向に組み合わせるとき渡り線の保持、緩み防止および長さの管理が複雑になるという課題があった。
【０００６】
本発明は、このような従来の課題を解決するものであり、巻線機の構造部分を簡略化し、主巻線巻装体と補助巻線巻装体の組み合わせ時に渡り線の処理の簡略化でき、更に薄型化を図ることのできるコンデンサ電動機の固定子を提供することを目的としている。
【課題を解決するための手段】
【０００７】
本発明のコンデンサ電動機の固定子は上記目的を達成するために、スロット数と同数に分割し積層された固定子鉄心と、前記固定子鉄心に絶縁体を装着した上に主巻線を集中巻で渡り線を介し２極連続的に直巻巻装した主巻線巻装体と、前記固定子鉄心に絶縁体を装着した上に補助巻線を集中巻で渡り線を介して２極連続的に直巻巻装した補助巻線巻装体とからなり、前記２極の主巻線巻装体を環状に配列した主巻線巻装体配列群と、前記２極の補助巻線巻装体を環状に配列した補助巻線巻装体配列群とが交互に環状に配列し軸方向に組み合わせ固着一体化してなる固定子において、前記固定子鉄心に装着する絶縁体の一部が前記固定子鉄心の中心軸に対し垂直方向に大きく延長された延出部を有し、その延出部の先端は、回転子側の絶縁体の内壁面よりも外周側で、かつ、主巻線と補助巻線との間に位置し、さらにその先端に主巻線および補助巻線の渡り線を保持する保持部を設けたものである。
【０００８】
この手段により分割鉄心体に主巻線および補助巻線を直巻巻装する巻線機の構造部分を簡略化し、主巻線巻装体配列群と補助巻線巻装体配列群の組み合わせ時に渡り線の処理の簡略化、更に薄型化を図ることのできるコンデンサ電動機の固定子が得られる。
【０００９】
また、他の手段は、保持部には、固定子鉄心の外周面と略平行な面の溝を設けたことを特徴とするものである。
【００１０】
また、他の手段は、延出部に設けた固定子鉄心の外周面と略平行な面の溝は、深さの異なる複数の溝であることを特徴とするものである。
【００１１】
また、他の手段は、保持部には、回転子軸と垂直な面の溝を設けたことを特徴とするものである。
【００１２】
また、他の手段は、延出部に設けた回転子軸と垂直な面の溝を複数設けたものである。
【００１３】
また、他の手段は、延出部に設けた回転子軸と垂直な面の複数の溝は、その形状が同一であることを特徴とするものである。
【００１４】
また、他の手段は、延出部に設けた回転子軸と垂直な面の溝の壁は、固定子側の壁を反固定子側の壁よりも低くしたものである。
【００１５】
また、他の手段は、主巻線巻装用の固定子鉄心に装着する絶縁体の延出部は主渡り線側のみ設け、補助巻線巻装用の固定子鉄心に装着する絶縁体の延出部は補助渡り線側のみ設けたものである。
【００１６】
また、他の手段は、主巻線巻装用の固定子鉄心に装着する延出部を設けた絶縁体と補助巻線巻装用の固定子鉄心に装着する延出部を設けた絶縁体が同一であるものである。
【００１７】
また、他の手段は、主渡り線側に設けられた絶縁体の延出部には主巻線の渡り線のみが保持または収納され、補助渡り線側に設けられた絶縁体の延出部には補助巻線の渡り線のみが保持または収納されたものである。
【発明の効果】
【００１８】
本発明によればスロット数と同数に分割し積層された固定子鉄心と、前記固定子鉄心に絶縁体を装着した上に主巻線を集中巻で渡り線を介し２極連続的に直巻巻装した主巻線巻装体と、前記固定子鉄心に絶縁体を装着した上に補助巻線を集中巻で渡り線を介して２極連続的に直巻巻装した補助巻線巻装体とからなり、前記２極の主巻線巻装体を環状に配列した主巻線巻装体配列群と、前記２極の補助巻線巻装体を環状に配列した補助巻線巻装体配列群とが交互に環状に配列し軸方向に組み合わせ固着一体化してなる固定子において、前記固定子鉄心に装着する絶縁体の一部が前記固定子鉄心の中心軸に対し垂直方向に大きく延長された延出部を有し、その延出部の先端は、回転子側の絶縁体の内壁面よりも外周側で、かつ、主巻線と補助巻線との間に位置し、さらにその先端に主巻線および補助巻線の渡り線を保持する保持部を設けることにより、分割鉄心体に主巻線および補助巻線を直巻巻装する巻線機の構造部分を簡略化し、主巻線巻装体配列群と補助巻線巻装体配列群の組み合わせ時に渡り線の処理の簡略化、更に薄型化を図ることのできるという効果のあるコンデンサ電動機の固定子を提供できる。
【発明を実施するための最良の形態】
【００１９】
本発明の請求項１記載の発明は、スロット数と同数に分割し積層された固定子鉄心と、前記固定子鉄心に絶縁体を装着した上に主巻線を集中巻で渡り線を介し２極連続的に直巻巻装した主巻線巻装体と、前記固定子鉄心に絶縁体を装着した上に補助巻線を集中巻で渡り線を介して２極連続的に直巻巻装した補助巻線巻装体とからなり、前記２極の主巻線巻装体を環状に配列した主巻線巻装体配列群と、前記２極の補助巻線巻装体を環状に配列しｌｌた補助巻線巻装体配列群とが交互に環状に配列し軸方向に組み合わせ固着一体化してなる固定子において、前記固定子鉄心に装着する絶縁体の一部が前記固定子鉄心の中心軸に対し垂直方向に大きく延長された延出部を有し、その延出部の先端は、回転子側の絶縁体の内壁面よりも外周側で、かつ、主巻線と補助巻線との間に位置し、さらにその先端に主巻線および補助巻線の渡り線を保持する保持部を設けることにより、この保持部に主巻線および補助巻線の渡り線を保持しながら巻線巻装するため、分割鉄心体に主巻線および補助巻線を直巻巻装する巻線機の構造部分を簡略化し、主巻線巻装体配列群と補助巻線巻装体配列群の組み合わせ時に渡り線の処理の簡略化、かつ延出部を前記固定子鉄心の中心軸に対し垂直方向に大きく延長することにより、主巻線と補助巻線の間の空間に配置できるため、前記固定子の薄型化を図ることのできるという作用を有する。
【００２０】
また、主巻線巻装用の固定子鉄心に装着する絶縁体の延出部は主渡り線側のみ設け、補助巻線巻装用の固定子鉄心に装着する絶縁体の延出部は補助渡り線側のみ設けることにより、主巻線巻装体の延出部と主渡り線側の渡り線、および補助巻線巻装体の延出部と補助渡り線側の渡り線が組み合わせ作業の障害にならないという作用を有する。
【００２１】
また、主巻線巻装用の固定子鉄心に装着する延出部を設けた絶縁体と補助巻線巻装用の固定子鉄心に装着する延出部を設けた絶縁体が同一にすることにより、部品点数を減らすことができ、部品の標準化およびコストの合理化できるという作用を有する。
【００２２】
また、保持部を複数設けることにより、複数の渡り線を各々相互に接触することがなく空間的に分離されて保持され、巻線皮膜の損傷などによる不具合の発生を防止するという作用を有する。
【００２３】
以下、本発明の実施の形態について図面を参照しながら説明する。
【００２４】
（実施の形態１）
本発明の第１の実施の形態について、図１〜図８を参照しながら説明する。
【００２５】
図１〜図８に示すように、スロット１数と同数に分割し積層された固定子鉄心２と、前記固定子鉄心２に絶縁体３ａを装着した上に主巻線５を集中巻で渡り線４ａを介し２極連続的に直巻巻装した主巻線巻装体５ａと、前記固定子鉄心２に絶縁体３ｂを装着した上に補助巻線６を集中巻で渡り線４ｂを介して２極連続的に直巻巻装した補助巻線巻装体６ａとからなり、前記２極の主巻線巻装体５ａを環状に配列した主巻線巻装体配列群５ｂと、前記２極の補助巻線巻装体６ａを環状に配列した補助巻線巻装体配列群６ｂとが交互に環状に配列し軸方向に組み合わせ固着一体化してなる固定子７を構成している。
【００２６】
上記構成において、固定子鉄心２に装着する絶縁体３は、内周側の端部が固定子鉄心２の中心軸１７に対し垂直方向１８に大きく延長された延出部８を有している。その延出部８の先端は、回転子１９側の絶縁体３の内壁２０よりも外周側で、かつ、主巻線５と補助巻線６との間に位置している。更に、その先端に主巻線５および補助巻線６の渡り線４を保持する保持部９を設ける。この保持部９に主巻線５および補助巻線６の渡り線４を保持しながら巻線巻装するため、固定子鉄心２に主巻線５および補助巻線６を直巻巻装する巻線機（図示せず）の構造部分を簡略化し、主巻線巻装体配列群５ｂと補助巻線巻装体配列群６ｂの組み合わせ時に渡り線４の処理が簡略化できる。更に、延出部８が固定子鉄心２の中心軸１７に対し垂直方向１８に大きく延長していることにより、主巻線５と補助巻線６の間の空間１０に配置できるため、固定子７の薄型化を図ることができる。
【００２７】
また、主巻線５巻装用の固定子鉄心２に装着する絶縁体３ａの延出部８ａは主渡り線側１１のみ設け、補助巻線６巻装用の固定子鉄心２に装着する絶縁体３ｂの延出部８ｂは補助渡り線側１２のみ設けることにより、主巻線巻装体５ａの延出部８ａと主渡り線側１１の渡り線４ａ、および補助巻線巻装体６ａの延出部８ｂと補助渡り線側１２の渡り線４ｂが組み合わせ作業の障害にならないという作用を有する（図５〜７）。
【００２８】
また、主巻線５巻装用の固定子鉄心２に装着する延出部８ａを設けた絶縁体３ａと補助巻線６巻装用の固定子鉄心２に装着する延出部８ｂを設けた絶縁体３ｂが同一にすることにより、部品点数を減らすことができ、部品の標準化およびコストの合理化できるという作用を有する。
【００２９】
また、主渡り線側１１に設けられた絶縁体３ａの延出部８ａには主巻線５の渡り線４ａのみが保持または収納され、補助渡り線側１２に設けられた絶縁体３ｂの延出部８ｂには補助巻線６の渡り線４ｂのみが保持または収納されることにより、主巻線５の渡り線４ａと補助巻線６の渡り線４ｂが接触することなく、電気的な不具合の発生を防止するという作用を有する。
【００３０】
また、保持部９を複数設けることにより、複数の渡り線が各々相互に接触することがなく空間的に分離されて保持され、巻線皮膜の損傷などによる不具合の発生を防止するという作用を有する（図８）。
【００３１】
（実施の形態２）
本発明の第２の実施の形態について、図９〜図１１を参照しながら説明する。第１の実施の形態と同様の構成については同じ符号を付し、詳細な説明を省略する。
【００３２】
第２の実施の形態においては、図９に示すように、延出部８ｃに設けた保持部９を固定子鉄心２の外周面と略平行な面の溝９ａとしたものである。このような構成によれば、構造が簡単になり、金型加工の簡素化できるという効果を有する。
【００３３】
また、延出部８ｃの先端に、固定子鉄心２の外周面と略平行な面の複数の溝を設けてもよい。このときには、複数の渡り線４ｃ、４ｄは各々相互に接触することがなく空間的に分離されて保持され、巻線皮膜の損傷などによる不具合の発生を防止するという作用を有する。
【００３４】
また、図１１に示すように、固定子鉄心２の外周面と略平行な面の複数の溝は、深さの異なる溝９ｃ、９ｄとしてもよい。
【００３５】
（実施の形態３）
本発明の第３の実施の形態について、図１２〜図１５を参照しながら説明する。第１、第２の実施の形態と同様の構成については同じ符号を付し、詳細な説明を省略する。
【００３６】
第３の実施の形態においては、図１２〜図１５に示すように、延出部８ｄに設けた保持部９を回転子１９軸と垂直な面の溝９ｂとしたものである。このような構成によれば、構造が簡単になり、金型加工の簡素化できるという効果を有する。また、主巻線巻装体配列群５ｆと補助巻線巻装体配列群６ｆの組み合わせ時に渡り線４を溝９ｂからの脱落を防止するという作用を有する。
【００３７】
また、延出部８ｄに設けた回転子１９軸と垂直な面の溝９ｂの固定子鉄心２側の壁１５を固定子鉄心２の反対側の壁１６より低くすることにより、巻装後に渡り線４を固定子鉄心２側から溝９ｂへの挿入する際に、固定子鉄心２の反対側の壁１６がガイドとなり、渡り線４の挿入性を向上できるという作用を有する。
【００３８】
また、延出部８ｄに、回転子１９軸と垂直な面の複数の溝９ｅ、９ｆを設けてもよい。このとき、複数の渡り線４ｅ、４ｆは各々相互に接触することがなく空間的に分離されて保持され、巻線皮膜の損傷などによる不具合の発生を防止するという作用を有する。
【００３９】
さらに、延出部８ｄに、回転子１９軸と垂直な面の複数の溝９ｅ、９ｆの形状を同一にすることにより、金型加工の簡略化を図るという作用を有する。
【産業上の利用可能性】
【００４０】
本発明にかかるコンデンサ電動機の固定子は、巻線機の構造部分を簡略化し、主巻線巻装体配列群と補助巻線巻装体配列群の組み合わせ時に渡り線の処理の簡略化、更に主巻線と補助巻線の間の空間を利用して固定子の薄型化ができるため、コンデンサ電動機を小型化および合理化することができ、換気装置などの小風量機器の搭載や、ファンモータへの搭載が有用である。
【図面の簡単な説明】
【００４１】
【図１】本発明の実施の形態１のコンデンサ電動機の固定子の保持部を設けた絶縁体を装着した固定子鉄心の斜視図
【図２】同コンデンサ電動機の固定子鉄心の分割状態を示す正面図
【図３】同コンデンサ電動機の固定子鉄心の斜視図
【図４】同コンデンサ電動機の固定子の正面図
【図５】同コンデンサ電動機の固定子の主巻線巻装体配列群を示す斜視図
【図６】同コンデンサ電動機の固定子の補助巻線巻装体配列群を示す斜視図
【図７】同コンデンサ電動機の固定子の軸方向に組み合わせを示す斜視図
【図８】同コンデンサ電動機の固定子の複数の保持部を設けた絶縁体を装着した固定子鉄心の斜視図
【図９】本発明の実施の形態２の固定子鉄心の外周面と略平行な面の溝を設けた絶縁体を装着した固定子鉄心の斜視図
【図１０】同複数の渡り線が保持部に保持された巻装体配列群の斜視図
【図１１】同複数の固定子鉄心の外周面と略平行な面の溝を設けた絶縁体を装着した固定子鉄心の斜視図
【図１２】本発明の実施の形態３の回転子軸と垂直な面の溝を設けた絶縁体を装着した固定子鉄心の斜視図
【図１３】同固定子鉄心側の壁を反固定子鉄心側の壁より低くした絶縁体を装着した固定子鉄心の斜視図
【図１４】同複数の溝を同一形状とした絶縁体を装着した固定子鉄心の斜視図
【図１５】同複数の渡り線が保持部に保持された巻装体配列群の斜視図
【図１６】従来のコンデンサ電動機の固定子の主巻線巻装体配列群の正面図
【図１７】同コンデンサ電動機の固定子の補助巻線巻装体配列群の正面図
【図１８】同コンデンサ電動機の固定子の正面図
【符号の説明】
【００４２】
１    スロット
２    固定子鉄心
３    絶縁体
３ａ  絶縁体
３ｂ  絶縁体
４    渡り線
４ａ  渡り線
４ｂ  渡り線
４ｃ  渡り線
４ｄ  渡り線
４ｅ  渡り線
４ｆ  渡り線
５    主巻線
５ａ  主巻線巻装体
５ｂ  主巻線巻装体配列群
５ｅ  主巻線巻装体
５ｆ  主巻線巻装体配列群
６    補助巻線
６ａ  補助巻線巻装体
６ｂ  補助巻線巻装体配列群
６ｅ  補助巻線巻装体
６ｆ  補助巻線巻装体配列群
７    固定子
８    延出部
８ａ  延出部
８ｂ  延出部
８ｃ  延出部
８ｄ  延出部
９    保持部
９ａ  溝
９ｂ  溝
９ｃ  溝
９ｄ  溝
９ｅ  溝
９ｆ  溝
１０  空間
１１  主渡り線側
１２  補助渡り線側
１３  主渡り線側
１４  補助渡り線側
１５  壁
１６  壁
１７  中心軸
１８  垂直方向
１９  回転子
２０  内壁
【図１】
2009095213.tif 000003
【図２】
2009095213.tif 000004
【図３】
2009095213.tif 000005
【図４】
2009095213.tif 000006
【図５】
2009095213.tif 000007
【図６】
2009095213.tif 000008
【図７】
2009095213.tif 000009
【図８】
2009095213.tif 000010
【図９】
2009095213.tif 000011
【図１０】
2009095213.tif 000012
【図１１】
2009095213.tif 000013
【図１２】
2009095213.tif 000014
【図１３】
2009095213.tif 000015
【図１４】
2009095213.tif 000016
【図１５】
2009095213.tif 000017
【図１６】
2009095213.tif 000018
【図１７】
2009095213.tif 000019
【図１８】
2009095213.tif 000020